(57)【要約】【課題】ネットワークを介して、撮像データを送信する場合に、ユーザの処理を簡易にしたい。【解決手段】撮像依頼通知受信部１１１は、ネットワークを介して接続した端末装置から、撮像の依頼が示された撮像依頼通知を受信する。メタ情報生成部１１５は、受信した撮像依頼通知から、撮像した撮像データの送信先に関する送信先情報を取得する。撮像データ処理部１１６は、取得した送信先情報と、撮像データとを互いに対応づけて撮像部１１４に記憶する。操作検知部１４０は、撮像データの転送指示を受けつける。撮像データ送信部１１８は、転送指示に応じて、記憶した送信先情報をあて先として、ネットワークを介して撮像データを送信する。【選択図】図１
2008301247.tif 000002
【特許請求の範囲】
【請求項１】
ネットワークを介して接続した端末装置から、撮像の依頼が示された撮像依頼通知を受信する撮像依頼通知受信部と、
前記撮像依頼通知受信部において受信した撮像依頼通知から、撮像した撮像データの送信先に関する送信先情報を取得する送信先情報取得部と、
前記送信先情報取得部において取得した送信先情報と、撮像データとを互いに対応づけて記憶する撮像データ記憶部と、
前記撮像データ記憶部において記憶した撮像データの転送指示を受けつける転送指示受付部と、
前記転送指示受付部において受けつけた転送指示に応じて、前記撮像データ記憶部において記憶した送信先情報をあて先として、ネットワークを介して撮像データを送信する撮像データ送信部と、
を備えることを特徴とする撮像装置。
【請求項２】
前記撮像依頼通知受信部において受信した撮像依頼通知に対して、撮像するかが示された撮像可否情報を取得する撮像可否情報取得部と、
前記撮像可否情報取得部において取得した撮像可否情報をもとに撮像可否通知を生成し、撮像依頼通知の送信元である端末装置にネットワークを介して撮像可否通知を送信する撮像可否通知生成部とをさらに備え、
前記撮像データ記憶部は、撮像可否情報が撮像可能である場合に、送信先情報を撮像データに対応づけて記憶することを特徴とする請求項１に記載の撮像装置。
【請求項３】
前記送信先情報取得部において取得した送信先情報をあて先とした送信を許可するかが示された送信許可情報を取得する送信許可情報取得部をさらに備え、
前記撮像データ記憶部は、送信許可情報も撮像データに対応づけて記憶し、
前記撮像データ送信部は、撮像データに対応づけた送信許可情報が送信許可である場合に、撮像データを送信することを特徴とする請求項１または２に記載の撮像装置。
【請求項４】
撮像した結果を撮像データとして生成する撮像部をさらに備え、
前記撮像データ記憶部は、前記撮像依頼通知受信部が撮像依頼通知を受信したとき、前記撮像部が撮像中であれば、送信先情報を対応づけて、撮像中の撮像データを記憶することを特徴とする請求項１から３のいずれかに記載の撮像装置。
【請求項５】
前記撮像データ記憶部は、撮像中の撮像データを記憶した後、前記撮像データ送信部から当該撮像データが送信されても、当該撮像データを削除しないことを特徴とする請求項４に記載の撮像装置。
【請求項６】
前記撮像データ送信部から撮像データを送信した後に、前記撮像データ記憶部から当該撮像データを削除するかが示された送信条件を取得する送信条件取得部をさらに備え、
前記撮像データ記憶部は、送信条件も撮像データに対応づけて記憶する手段と、前記撮像データ送信部から送信した撮像データに対応づけた送信条件が、撮像データの削除を示していれば、当該撮像データを削除する手段とを含むことを特徴とする請求項１から５のいずれかに記載の撮像装置。
【請求項７】
撮像の依頼が示された撮像依頼通知であって、かつ本端末装置に関する情報が含まれた撮像依頼通知を送信する端末装置と、
前記端末装置にネットワークを介して接続し、前記端末装置から撮像依頼通知を受信した後、撮像した撮像データを前記端末装置へ送信する撮像装置とを備え、
前記撮像装置は、
受信した撮像依頼通知から、撮像した撮像データの送信先に関する送信先情報を取得する送信先情報取得部と、
前記送信先情報取得部において取得した送信先情報と、撮像データとを互いに対応づけて記憶する撮像データ記憶部と、
前記撮像データ記憶部において記憶した撮像データの転送指示を受けつける転送指示受付部と、
前記転送指示受付部において受けつけた転送指示に応じて、前記撮像データ記憶部において記憶した送信先情報をあて先として、ネットワークを介して撮像データを送信する撮像データ送信部とを備えることを特徴とする撮像システム。
【請求項８】
ネットワークを介して接続した端末装置から、撮像の依頼が示された撮像依頼通知を受信する撮像依頼通知受信部と、
前記撮像依頼通知受信部において受信した撮像依頼通知に対して、撮像の実行の可否を決定する撮像可否決定部と、
前記撮像可否決定部が撮像の実行を決定した場合に、撮像した結果を撮像データとして生成する撮像部と、
前記撮像部において生成した撮像データを転送すべきファイルサーバに関するファイルサーバ情報を記憶するファイルサーバ情報記憶部と、
前記ファイルサーバ情報記憶部において記憶したファイルサーバ情報に対応したファイルサーバから撮像データを取得する際に必要な鍵情報を生成する鍵情報生成部と、
前記鍵情報生成部において生成した鍵情報、および前記ファイルサーバ情報記憶部において記憶したファイルサーバ情報を、撮像依頼通知の送信元である端末装置へ送信する撮像可否通知送信部と、
前記鍵情報生成部において生成した鍵情報、前記ファイルサーバ情報記憶部において記憶したファイルサーバ情報、前記撮像部において生成した撮像データとを互いに対応づけて記憶する撮像データ記憶部と、
前記撮像データ記憶部において互いに対応づけて記憶した撮像データ、ファイルサーバ情報、鍵情報とを、ファイルサーバ情報に対応したファイルサーバに接続可能な機器に送信する撮像データ送信部と、
を備えることを特徴とする撮像装置。
【発明の詳細な説明】
【技術分野】
【０００１】
本発明は、撮像技術に関し、特に撮像した結果として撮像データを生成する撮像装置および撮像システムに関する。
【背景技術】
【０００２】
記憶装置の容量の増大にともない、画像通信装置が処理の対象とする画像データの数も増大する。その結果、画像データの管理が複雑になってくる。一方、撮像装置内や通信可能な他のデータ保存装置内の画像データに対する管理が容易であることが望まれる。そのため、画像通信装置は、元画像データをもとに小さなサイズの画像データを生成し、生成された画像データを所定の枚数で組み合わせてひとつの一覧画像データファイルを作成する。また、画像通信装置は、外部からの要求に応じて一覧画像データファイルを送信する（例えば、特許文献１参照）。
【特許文献１】特開２００４-８０５３８号公報
【発明の開示】
【発明が解決しようとする課題】
【０００３】
子供の運動会等では、多くの保護者がビデオカメラでの撮像を行っている。このとき、友人同士で互いに撮像すれば、複数のカメラによって、複数の位置および角度からの映像が取得される。このようにして撮像した撮像データのうち、互いに必要な撮像データが交換の対象となる。その際、撮像装置に対応した記憶媒体の種類が互いに異なると、交換が困難になってくる。また、友人が撮像した撮像データの中から、どの部分が必要であるかを短時間で判断するのは容易ではなく、後日、友人から撮像装置を借りて、テレビ等に表示させながら必要な撮像データを抽出することが多い。そこで、撮像データの交換は容易になされる方が望ましい。
【０００４】
本発明はこうした状況に鑑みてなされたものであり、その目的は、ネットワークを介して、撮像データを送信する場合に、ユーザの処理を簡易にする技術を提供することである。
【課題を解決するための手段】
【０００５】
上記課題を解決するために、本発明のある態様の撮像装置は、ネットワークを介して接続した端末装置から、撮像の依頼が示された撮像依頼通知を受信する撮像依頼通知受信部と、撮像依頼通知受信部において受信した撮像依頼通知から、撮像した撮像データの送信先に関する送信先情報を取得する送信先情報取得部と、送信先情報取得部において取得した送信先情報と、撮像データとを互いに対応づけて記憶する撮像データ記憶部と、撮像データ記憶部において記憶した撮像データの転送指示を受けつける転送指示受付部と、転送指示受付部において受けつけた転送指示に応じて、撮像データ記憶部において記憶した送信先情報をあて先として、ネットワークを介して撮像データを送信する撮像データ送信部と、を備える。
【０００６】
本発明の別の態様は、撮像システムである。この撮像システムは、撮像の依頼が示された撮像依頼通知であって、かつ本端末装置に関する情報が含まれた撮像依頼通知を送信する端末装置と、端末装置にネットワークを介して接続し、端末装置から撮像依頼通知を受信した後、撮像した撮像データを端末装置へ送信する撮像装置とを備える。撮像装置は、受信した撮像依頼通知から、撮像した撮像データの送信先に関する送信先情報を取得する送信先情報取得部と、送信先情報取得部において取得した送信先情報と、撮像データとを互いに対応づけて記憶する撮像データ記憶部と、撮像データ記憶部において記憶した撮像データの転送指示を受けつける転送指示受付部と、転送指示受付部において受けつけた転送指示に応じて、撮像データ記憶部において記憶した送信先情報をあて先として、ネットワークを介して撮像データを送信する撮像データ送信部とを備える。
【０００７】
本発明のさらに別の態様は、撮像装置である。この装置は、ネットワークを介して接続した端末装置から、撮像の依頼が示された撮像依頼通知を受信する撮像依頼通知受信部と、撮像依頼通知受信部において受信した撮像依頼通知に対して、撮像の実行の可否を決定する撮像可否決定部と、撮像可否決定部が撮像の実行を決定した場合に、撮像した結果を撮像データとして生成する撮像部と、撮像部において生成した撮像データを転送すべきファイルサーバに関するファイルサーバ情報を記憶するファイルサーバ情報記憶部と、ファイルサーバ情報記憶部において記憶したファイルサーバ情報に対応したファイルサーバから撮像データを取得する際に必要な鍵情報を生成する鍵情報生成部と、鍵情報生成部において生成した鍵情報、およびファイルサーバ情報記憶部において記憶したファイルサーバ情報を、撮像依頼通知の送信元である端末装置へ送信する撮像可否通知送信部と、鍵情報生成部において生成した鍵情報、ファイルサーバ情報記憶部において記憶したファイルサーバ情報、撮像部において生成した撮像データとを互いに対応づけて記憶する撮像データ記憶部と、撮像データ記憶部において互いに対応づけて記憶した撮像データ、ファイルサーバ情報、鍵情報とを、ファイルサーバ情報に対応したファイルサーバに接続可能な機器に送信する撮像データ送信部と、を備える。
【０００８】
なお、以上の構成要素の任意の組合せ、本発明の表現を方法、装置、システム、記録媒体、コンピュータプログラムなどの間で変換したものもまた、本発明の態様として有効である。
【発明の効果】
【０００９】
本発明によれば、ネットワークを介して、撮像データを送信する場合に、ユーザの処理を簡易にできる。
【発明を実施するための最良の形態】
【００１０】
本発明を具体的に説明する前に、概要を述べる。本発明の実施例は、複数の撮像装置（以下、「カメラ」という）によって構成される撮像システムに関する。ここで、複数のカメラは、無線ネットワークを介して互いに接続する。複数のカメラのそれぞれを使用するユーザは、無線ネットワークを介して相互に撮像を依頼する。また、別のカメラのユーザは、依頼に応じて撮像した撮像データを依頼主のカメラへ送信する。そのため、ひとつのカメラが依頼主になりながら、撮像側になりえるが、ここでは、説明を明瞭にするために、適宜、依頼側を第１カメラ、撮像側を第２カメラとする。
【００１１】
第１カメラは、第２カメラに対し撮像依頼を送信する。その際、撮像データの送信先、つまり第１カメラの情報や、撮像する際の設定情報を付加しておく。その後、第２カメラから、「撮像可能」である旨の応答がある場合、第１カメラは、後に第２カメラから撮像データを取得できるように準備する。後日、第１カメラは、第２カメラと接続した際に、第２カメラから撮像データを取得する。一方、第２カメラは、第１カメラから撮像依頼を受けると、撮像可能であるかの判断を第１カメラに送信する。第２カメラは、第１カメラからの依頼をもとに対象となる人物などを撮像する。撮像した撮像データには、第１カメラの情報などをメタ情報として付加しておく。
【００１２】
以上の構成により、撮像してからではなく、撮像前に必要である部分を通知するので、後から選択する必要がなくなる。より具体的に説明すると、「撮像データが欲しい」つまり「撮像して欲しい」タイミングで、友人のカメラに撮像依頼の通知を送信する。この通知に、撮像したデータの送付先を付加しておく。撮像依頼の通知を受信した友人のカメラは、撮像した撮像データに、データ送信先の情報をメタ情報として付加しておく。撮像後、時間およびネットワーク環境が整ったときに、友人のカメラは、メタ情報をもとに送信するべきデータを抽出し、送信する。
【００１３】
図１は、本発明の実施例に係るカメラ１０の構成を示す。カメラ１０は、撮像依頼部１００、撮像部１１０、表示部１２０、無線通信Ｉ／Ｆ１３０、操作検知部１４０、撮像データ記憶部１５０、機器情報記憶部１６０を含む。また、撮像依頼部１００は、撮像依頼通知生成部１０１、撮像依頼通知送信部１０２、撮像可否通知受信部１０３、受信待情報記憶部１０４、撮像データ受信部１０５を含む。また、撮像部１１０は、撮像依頼通知受信部１１１、撮像可否通知生成部１１２、撮像可否通知送信部１１３、撮像部１１４、メタ情報生成部１１５、撮像データ処理部１１６、撮像データ送信設定部１１７、撮像データ送信部１１８を含む。カメラ１０が前述の第１カメラとして動作する際、ここでは、カメラ１０を第１カメラ１０ａと示し、カメラ１０が前述の第２カメラとして動作する際、ここでは、カメラ１０を第２カメラ１０ｂと示す。なお、カメラ１０が第１カメラ１０ａとして動作する際には、撮像部１１０以外の機能が使用され、カメラ１０が第２カメラ１０ｂとして動作する際には、撮像依頼部１００以外の機能が使用される。
【００１４】
撮像依頼部１００は、カメラ１０が第１カメラ１０ａとして動作する際に使用され、第２カメラ１０ｂへの撮像の依頼を行うとともに、依頼をもとに第２カメラ１０ｂが撮像した撮像データを受信し、撮像データを撮像データ記憶部１５０に格納する。操作検知部１４０が、ユーザからの「撮像依頼」を示す操作を検知すると、第１カメラ１０ａは、無線通信Ｉ／Ｆ１３０を介して第２カメラ１０ｂに対して撮像依頼通知を送信する。また、第１カメラ１０ａは、第２カメラ１０ｂから送信される撮像可否通知を受信し、その内容が「撮像不可」でない場合に、第２カメラ１０ｂからの撮像データの受信を待ち受ける。その後、第１カメラ１０ａは、第２カメラ１０ｂからの撮像データを無線通信Ｉ／Ｆ１３０を介して受信すると、撮像データを撮像データ記憶部１５０に格納する。
【００１５】
撮像依頼通知生成部１０１は、操作検知部１４０において検知されたユーザからの依頼をもとに、撮像依頼通知を生成する。撮像依頼通知とは、第２カメラ１０ｂのような他のカメラ１０に撮像を依頼する際に送信するものであり、第２カメラ１０ｂが撮像する際および撮像データを送信する際に参照する情報である。撮像依頼通知生成部１０１は、生成した撮像依頼通知を撮像依頼通知送信部１０２に送り、その送信を依頼する。なお、撮像依頼通知の詳細については後述するが、第１カメラ１０ａに関する情報も含まれている。撮像依頼通知送信部１０２は、撮像依頼通知生成部１０１からの依頼をもとに、撮像依頼通知生成部１０１において生成された撮像依頼通知を無線通信Ｉ／Ｆ１３０を介して送信する。送信した撮像依頼通知は第２カメラ１０ｂの撮像部１１０において受信される。
【００１６】
撮像可否通知受信部１０３は、第２カメラ１０ｂから送信される撮像可否通知を受信する。撮像可否通知とは、撮像依頼通知に対する第２カメラ１０ｂの応答であり、撮像依頼通知に対応する撮像が可能かどうかを示すものである。撮像可否通知受信部１０３は、受信した撮像可否通知に応じた内容の表示を表示部１２０に依頼するとともに、撮像可否通知に含まれる撮像可否情報が「撮像可能」であった場合に、受信待情報記憶部１０４に格納されている受信待ち情報を追加したり、更新する。
【００１７】
受信待情報記憶部１０４は、受信待ち情報を保持する。受信待ち情報は、撮像可否通知受信部１０３により登録されたり、更新される。また、撮像データ受信部１０５が撮像データを受信した際に、受信待ち情報のうち、対応する項目が削除される。撮像データ受信部１０５は、第２カメラ１０ｂが撮像した撮像データを受信する。撮像データ受信部１０５は、受信した撮像データを撮像データ記憶部１５０に格納する。
【００１８】
撮像部１１０は、カメラ１０が第２カメラ１０ｂとして動作する際に使用され、第１カメラ１０ａから撮像依頼通知を受信した際の処理を行う。撮像部１１０は、第１カメラ１０ａからの撮像依頼通知を受信すると、その旨を表示部１２０に表示して、表示内容に対する撮像可否情報の入力を待つ。操作検知部１４０において、ユーザからの撮像可否情報の入力が検知されると、撮像部１１０は、入力内容にしたがって、撮像可否通知を生成する。また、撮像部１１０は、撮像依頼通知の送信元である第１カメラ１０ａに撮像可否通知を送信する。撮像可否通知を生成する際に、撮像部１１０は、機器情報記憶部１６０に記憶されている機器情報を参照する。その後、撮像部１１０は、撮像を行い、撮像データを撮像データ記憶部１５０に記憶する。また、操作検知部１４０が、転送指示に対応する操作を検知した場合、撮像部１１０は、撮像データ記憶部１５０に記憶された撮像データの中から、第１カメラ１０ａに送信すべき撮像データを抽出し、無線通信Ｉ／Ｆ１３０を介して送信する。
【００１９】
撮像依頼通知受信部１１１は、無線通信Ｉ／Ｆ１３０を介して、第１カメラ１０ａから送信される撮像依頼通知を受信する。撮像依頼通知受信部１１１は、撮像依頼通知を受信すると、その旨を表示部１２０に表示する。また、撮像依頼通知受信部１１１は、撮像依頼通知に含まれる機器ＩＤ、ニックネーム、アドレスをメタ情報生成部１１５に出力する。表示部１２０が、撮像依頼通知が受信された旨を表示すると、当該表示を見たユーザは、撮像可否情報を図示しないインターフェイスを介して入力する。撮像可否情報とは、撮像するか、しないかに関する情報である。また、撮像データを第１カメラ１０ａに送信した後に当該撮像データを消去するかに関する情報も含んでいる。操作検知部１４０が撮像可否情報の入力を検知すると、撮像可否通知生成部１１２は、操作検知部１４０において取得した撮像可否情報をもとに撮像可否通知を生成する。撮像可否通知は、機器情報記憶部１６０が保持している機器情報、および操作検知部１４０によって検知された撮像可否情報をもとに生成される。撮像可否通知生成部１１２は、生成した撮像可否通知を撮像可否通知送信部１１３に出力し、その送信を依頼するとともに、その内容をメタ情報生成部１１５に出力する。撮像可否通知送信部１１３は、撮像可否通知生成部１１２から撮像可否通知を取得し、無線通信Ｉ／Ｆ１３０を介して撮像依頼通知の送信元である第１カメラ１０ａに撮像可否通知を送信する。
【００２０】
撮像部１１４は、操作検知部１４０において、ユーザからの撮像開始を示す操作が検知された場合に、撮像を開始するとともに、メタ情報生成部１１５にデータファイルＩＤおよび撮像開始日時を出力する。操作検知部１４０が、第１カメラ１０ａから依頼された撮像を開始すること検知すれば、撮像部１１４は、メタ情報生成部１１５にその旨も出力する。撮像部１１４は、操作検知部１４０において、ユーザからの撮像終了を示す操作が検知された場合に、撮像を終了する。撮像部１１４は、撮像した結果を撮像データとして生成し、撮像データを撮像データ処理部１１６に出力する。
【００２１】
メタ情報生成部１１５は、撮像データに付加すべきメタ情報を生成する。メタ情報とは、撮像データに関する情報であり、撮像データ処理部１１６によって、撮像データに付加される。例えば、メタ情報生成部１１５は、撮像依頼通知受信部１１１において受信した撮像依頼通知から、撮像した撮像データの送信先に関する送信先情報を取得し、取得した送信先情報をメタ情報に含める。また、メタ情報生成部１１５は、撮像データ送信部１１８から撮像データを送信した後に、撮像データ記憶部１５０から当該撮像データを削除するかが示された送信条件を取得し、取得した送信条件をメタ情報に含める。なお、送信条件は、撮像データを依頼元である第１カメラ１０ａに送信した後に、当該撮像データを撮像データ記憶部１５０から削除するかどうかを示すもので、撮像可否情報から抽出される。メタ情報生成部１１５は、撮像データ処理部１１６に対して、生成したメタ情報を送るとともに、撮像データに付加することを依頼する。
【００２２】
撮像データ処理部１１６は、撮像部１１４から取得した撮像データに対応するメタ情報をメタ情報生成部１１５から取得し、撮像データに付加する。メタ情報を付加した撮像データは、撮像データ記憶部１５０に格納される。具体的に説明すると、撮像データ処理部１１６は、メタ情報生成部１１５において生成したメタ情報と、撮像データとを互いに対応づけて撮像データ記憶部１５０に記憶させる。ここで、撮像データ処理部１１６は、撮像可否情報が撮像可能である場合だけに、送信先情報も撮像データに対応づけて記憶させてもよい。また、撮像データ処理部１１６は、撮像依頼通知受信部１１１が撮像依頼通知を受信したとき、操作検知部１４０が既に撮像中であれば、メタ情報を対応づけて、撮像中の撮像データを記憶する。
【００２３】
撮像データ記憶部１５０は、自身が撮像した撮像データ、第２カメラ１０ｂに撮像を依頼して取得した撮像データを保持する。撮像データ記憶部１５０は、自身が撮像した撮像データを撮像データ処理部１１６から受けつけ、他のカメラ１０から取得した撮像データを撮像データ受信部１０５から受けつける。また、自身が撮像した撮像データのうち、第１カメラ１０ａの依頼により撮像したデータは、撮像データ送信設定部１１７により参照される。
【００２４】
操作検知部１４０において、撮像データの送信を示す操作が検知された場合、撮像データ送信設定部１１７は、撮像データ記憶部１５０が保持している撮像データの中から、接続中の第１カメラ１０ａから依頼されて撮像した撮像データを抽出する。なお、依頼されて撮像した撮像データを抽出するために、撮像データ送信設定部１１７は、メタ情報を参照する。抽出した撮像データは、撮像データ送信部１１８に出力される。撮像データ送信設定部１１７は、抽出した撮像データを撮像データ送信部１１８に出力した後、その撮像データのメタ情報に含まれる送信条件が撮像データの削除を示していれば、つまりムーブであった場合、その撮像データを撮像データ記憶部１５０から消去する。なお、撮像依頼通知受信部１１１が撮像依頼通知を受信したとき、操作検知部１４０が既に撮像中であれば、撮像データ記憶部１５０は、撮像中のデータを記憶するが、その後、撮像データ送信部１１８から当該撮像データが送信されても、当該撮像データを削除しない。
【００２５】
撮像データ送信部１１８は、無線通信Ｉ／Ｆ１３０を介して、撮像データ送信設定部１１７から受けつけた撮像データを第１カメラ１０ａに送信する。具体的に説明すると、撮像データ送信部１１８は、撮像データ送信設定部１１７から受けつけた撮像データを、対応するメータ情報に含まれる送信先情報をあて先として、撮像データを送信する。無線通信Ｉ／Ｆ１３０は、各種の情報の送受信を行う。
【００２６】
操作検知部１４０は、図示しないインターフェイスを介して、ユーザによる操作を検知する。操作検知部１４０は、検知結果が撮像依頼を示すものであれば、撮像依頼通知生成部１０１に撮像依頼通知の生成を依頼する。また、操作検知部１４０は、検知結果が撮像可否情報に関するものであれば、撮像可否通知生成部１１２に対して撮像可否通知の生成を依頼する。さらに、操作検知部１４０は、撮像データ記憶部１５０において記憶した撮像データの転送指示を受けつければ、撮像データ送信設定部１１７に対して撮像データの送信を依頼する。
【００２７】
機器情報記憶部１６０は、自身のカメラ１０に関する情報を保持している。具体的には、自身の機器ＩＤ、ニックネーム、アドレスを記憶している。機器情報記憶部１６０が保持している機器情報は、撮像依頼通知生成部１０１が撮像依頼通知を生成する際、および撮像可否通知生成部１１２が撮像可否通知を生成する際に参照される。表示部１２０は、ユーザに伝えるために、各種の情報を表示する。
【００２８】
この構成は、ハードウエア的には、任意のコンピュータのＣＰＵ、メモリ、その他のＬＳＩで実現でき、ソフトウエア的にはメモリにロードされた通信機能のあるプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００２９】
図２（ａ）−（ｄ）は、カメラ１０において処理される情報のデータ構造を示す。図２（ａ）は、撮像依頼通知の例を示す。撮像依頼通知は、第２カメラ１０ｂに撮像を依頼する際に、第１カメラ１０ａによって生成される。図示のごとく、撮像依頼通知には、自身の機器ＩＤ、ニックネーム、アドレスおよび撮像条件、撮像対象の情報が含まれる。第１カメラ１０ａは、機器情報記憶部１６０に保持されている機器情報をもとに撮像依頼通知を生成し、生成した撮像依頼通知を第２カメラ１０ｂに送信する。第２カメラ１０ｂにより受信された撮像依頼通知は、表示部１２０に表示され、ユーザに撮像可否情報の入力を促す際に用いられる。また、第２カメラ１０ｂにおいて撮像依頼通知は、撮像データに付加されるメタ情報を生成する際にも参照される。
【００３０】
図２（ｂ）は、撮像可否通知の例を示す。撮像可否通知とは、第１カメラ１０ａによって送信された撮像依頼通知に対する第２カメラ１０ｂの応答である。図示のごとく、撮像可否通知には、送信元である第２カメラ１０ｂの機器ＩＤ、ニックネームおよび撮像可否情報が含まれている。
【００３１】
撮像可否情報とは、撮像依頼通知をもとに撮像を行えるかを示す情報であり、「撮像不可」、「撮像可能(コピー)」、「撮像可能(ムーブ)」のいずれかである。「撮像不可」は、撮像が不可能であること、「撮像可能」は撮像が可能であることを示す。また、「撮像可能(コピー)」は、撮像した撮像データを送信した後に、撮像データ記憶部１５０に記憶されている撮像データを削除しないことを示し、「撮像可能(ムーブ)」とは、撮像データを送信した後に、撮像データ記憶部１５０に記憶されている撮像データを削除することを示す。
【００３２】
撮像可否通知は、第２カメラ１０ｂの撮像可否通知生成部１１２によって、機器情報記憶部１６０に保持されている機器情報、操作検知部１４０で検知された撮像可否情報をもとに生成される。生成された撮像可否通知は、撮像可否通知生成部１１２からメタ情報生成部１１５に送られ、撮像データに付加されるメタ情報を生成する際に用いられる。また、撮像可否通知は、第２カメラ１０ｂから、撮像依頼通知の送信元である第１カメラ１０ａに送信され、受信待ち情報の生成、更新に用いられる。
【００３３】
図２（ｃ）は、受信待ち情報の例を示す。受信待ち情報は、撮像を依頼し、依頼した撮像データが未受信である第２カメラ１０ｂに関する情報であり、第１カメラ１０ａの受信待情報記憶部１０４に記憶されている。図示のごとく、受信待ち情報は、撮像を依頼した第２カメラ１０ｂの機器ＩＤ、ニックネーム、最終撮像依頼日時に関する情報を含む。第１カメラ１０ａのユーザは受信待ち情報を参照して、受信すべき撮像データを保持している第２カメラ１０ｂに関する情報を認識する。
【００３４】
図２（ｄ）は、メタ情報の例を示す。メタ情報とは、撮像データに関する情報であり、メタ情報生成部１１５によって生成された後、撮像データ処理部１１６によって撮像データに付加される。図示のごとく、メタ情報には、対応する撮像データを示すデータファイルＩＤ、送信先の第１カメラ１０ａが示された送信先機器ＩＤ、送信先ニックネーム、送信先アドレス、撮像開始日時、送信条件が含まれている。メタ情報のうち、データファイルＩＤおよび撮像開始時間は、撮像部１１４から取得される。送信先である第１カメラ１０ａに関する情報は、撮像依頼通知受信部１１１から取得される。また、送信条件とは、撮像データ送信した後に、当該撮像データを消去するか、消去しないかを示しており、前者がムーブに相当し、後者がコピーに相当する。このような送信条件は、撮像可否通知生成部１１２によって生成された撮像可否通知に含まれる撮像可否情報をもとに決定される。具体的には、撮像可否情報が「撮像可能(ムーブ)」であれば送信条件はムーブとなり、「撮像可能(コピー)」であれば送信条件はコピーとなる。
【００３５】
以上の構成によるカメラ１０の動作概要を説明する。図３は、カメラ１０による撮像の依頼手順を示すフローチャートである。つまり、図３は、撮像を依頼する第１カメラ１０ａの動作を概略的に示したフローチャートともいえる。操作検知部１４０は、操作指示の入力を検知しなければ（Ｓ１００１のＮ）、待機する。操作検知部１４０が操作指示の入力を検知すると（Ｓ１００１のＹ）、撮像依頼通知生成部１０１は、撮像依頼通知を生成し（Ｓ１００２）、撮像依頼通知送信部１０２は、第２カメラ１０ｂに撮像依頼通知を送信する（Ｓ１００３）。第１カメラ１０ａは、第２カメラ１０ｂから送信された撮像依頼通知の応答である撮像可否通知の受信しなければ（Ｓ１００４のＮ）、待機する。
【００３６】
撮像可否通知受信部１０３は、第２カメラ１０ｂから撮像可否通知を受信すると（Ｓ１００４のＹ）、受信した撮像可否通知に含まれる撮像可否情報が、「撮像不可」であるかの判断を行う（Ｓ１００５）。撮像可否情報が「撮像不可」であった場合には（Ｓ１００５のＹ）、処理が終了する。一方、撮像可否情報が「撮像不可」でなかった場合（Ｓ１００５のＮ）、つまり「撮像可能」であった場合には、受信待情報記憶部１０４は、受信した撮像可否通知をもとに受信待ち情報を更新する（Ｓ１００６）。具体的には、受信した撮像可否通知に記載されている第２カメラ１０ｂが、受信待情報記憶部１０４が保持している受信待ち情報に既に記載されている場合に、その記載の最終撮像依頼日時を更新する。一方、記載されていない場合には、撮像可否通知に対応する第２カメラ１０ｂに関する情報を追加する。受信待ち情報の更新が終わると処理が終了する。
【００３７】
図４は、カメラ１０による撮像手順を示すフローチャートである。図４は、依頼を受けて実際に撮像を行う第２カメラ１０ｂの動作に相当する。撮像依頼通知受信部１１１は、第１カメラ１０ａから送信された撮像依頼通知を受信しなければ（Ｓ２００１のＮ）、待機する。撮像依頼通知受信部１１１は、第１カメラ１０ａから送信された撮像依頼通知を受信すると（Ｓ２００１のＹ）、撮像部１１４が撮像中であるかを判断する（Ｓ２００２）。
【００３８】
撮像中であった場合（Ｓ２００２のＹ）、メタ情報生成部１１５は、受信した撮像依頼通知から、撮像データの送付先に関する情報(機器ＩＤ、ニックネーム、アドレス)を取得する（Ｓ２００３）。また、メタ情報生成部１１５は、送信条件を「コピー」に設定する（Ｓ２００４）。その後、撮像が終了すると（Ｓ２００５）、撮像データ処理部１１６は、メタ情報を付加した撮像データを撮像データ記憶部１５０に格納する（Ｓ２００６）。具体的には、メタ情報生成部１１５が、撮像依頼通知受信部１１１から取得した撮像データの送付先に関する情報、ステップ２００４において設定した送信条件、撮像部１１４から取得したデータファイルＩＤをもとにメタ情報を生成し、撮像データ記憶部１５０に格納する。撮像データを格納した後、処理が終了する。
【００３９】
一方、撮像依頼通知を受信したときに、撮像中でなかった場合（Ｓ２００２のＮ）、操作検知部１４０が、撮像可否情報を示す操作を検知しなければ（Ｓ２００７のＮ）、待機する。操作検知部１４０が撮像可否情報を示す操作を検知すると（Ｓ２００７のＹ）、操作検知部１４０は、操作内容にしたがって撮像可否通知を送信する（Ｓ２００８）。その後、撮像可否通知生成部１１２は、撮像可否情報が「撮像不可」であるかの判断を行い（Ｓ２００９）、「撮像不可」である場合に（Ｓ２００９のＹ）、処理を終了する。一方、撮像可否情報が「撮像不可」ではなかった場合（Ｓ２００９のＮ）、メタ情報生成部１１５は、受信した撮像依頼通知から、撮像データ送信先の情報(第１カメラ１０ａの機器ＩＤ、ニックネーム、アドレス)を取得する（Ｓ２０１０）。その後、撮像可否通知生成部１１２は、撮像可否情報が「撮像可能(ムーブ)」であるかを判定する（Ｓ２０１１）。
【００４０】
撮像可否情報が「撮像可能(ムーブ」である場合に（Ｓ２０１１のＹ）、メタ情報生成部１１５は、送信条件を「ムーブ」に設定する(Ｓ２０１２)。撮像部１１４は、設定を撮像依頼通知に記載されていた撮像条件に設定を変更した後（Ｓ２０１３）、撮像を行う（Ｓ２０１５）。一方、撮像可否情報が「撮像可能(ムーブ」でない場合（Ｓ２０１１のＮ）、つまり「撮像可能(コピー)」であった場合には、メタ情報生成部１１５は、送信条件を「コピー」に設定し（Ｓ２０１４）、撮像部１１４は、撮像を行う（Ｓ２０１５）。その後、撮像が終了すると、撮像部１１４は、ステップ２０１３において変更した設定を元に戻し(図示せず)、メタ情報生成部１１５は、撮像部１１４から取得したデータファイルＩＤ、撮像依頼通知から取得した撮像データ送信先の情報、ステップ２０１２あるいはステップ２０１４で設定した送信条件をもとにメタ情報を生成し、撮像データ処理部１１６は、撮像データ記憶部１５０に格納した後に（Ｓ２００６）、処理を終了する。
【００４１】
図５は、カメラ１０による送信手順を示すフローチャートである。これは、第２カメラ１０ｂが、依頼主である第１カメラ１０ａに、撮像した撮像データを送信する際の動作に相当する。操作検知部１４０は、「データ送信」を示す操作を検知しなければ（Ｓ３００１のＮ）、待機する。操作検知部１４０が「データ送信」を示す操作を検知すると（Ｓ３００１のＹ）、撮像データ送信設定部１１７は、接続中の機器を確認する（Ｓ３００２）。接続中の機器がない場合（Ｓ３００２のＮ）、処理は終了される。接続中の機器がある場合（Ｓ３００３のＹ）、撮像データ送信設定部１１７は、撮像データ未送信である第１カメラ１０ａを抽出する（Ｓ３００４）。
【００４２】
次に、撮像データ送信設定部１１７は、撮像データ記憶部１５０のメタ情報を参照しながら、抽出した第１カメラ１０ａに送信するべき撮像データが撮像データ記憶部１５０にあるかを検索する（Ｓ３００５）。撮像データがない場合（Ｓ３００５のＮ）、処理はステップ３０１１に移行する。一方、送信するべき撮像データが撮像データ記憶部１５０にあった場合（Ｓ３００５のＹ）、撮像データ送信設定部１１７は、その中から未送信の撮像データをひとつ抽出し、付加されたメタ情報から送信先および送信条件を確認する（Ｓ３００６）。撮像データ送信部１１８は、第１カメラ１０ａに対して撮像データを送信する（Ｓ３００７）。その後、撮像データ送信設定部１１７は、メタ情報に記載されている送信条件が「ムーブ」であるかを判断する（Ｓ３００８）。
【００４３】
送信条件が「ムーブ」である場合（Ｓ３００８のＹ)、撮像データ送信設定部１１７は、撮像データを削除してからステップ３０１０の処理を行う。一方、送信条件が「ムーブ」ではない場合（Ｓ３００８のＮ）、撮像データ送信設定部１１７は、撮像データを削除しない。その後、送信すべき撮像データがもうないかを検索し（Ｓ３０１０）、ある場合（Ｓ３０１０のＮ）撮像データ送信設定部１１７は、ステップ３００６からの処理を繰り返し実行する。送信すべき撮像データがない場合（Ｓ３０１０のＹ）、撮像データ送信設定部１１７は、接続中の機器のうち、撮像データ送信処理（Ｓ３００５からＳ３０１０）を行っていない機器がないかを判断する（Ｓ３０１１）。ある場合（Ｓ３０１１のＮ）、撮像データ送信設定部１１７は、ステップ３００４からの処理を繰り返し実行し、ない場合（Ｓ３０１１のＹ）、処理は終了される。第１カメラ１０ａは、第２カメラ１０ｂがステップ３００７において送信した撮像データを撮像データ受信部１０５にて受信し、受信した撮像データを撮像データ記憶部１５０に随時格納する。
【００４４】
以下に、本実施例の変形例を説明する。実施例においては、第１カメラが第２カメラに撮像を依頼し、カメラ間において撮像データが送受信されていた。しかしながら、カメラ同士の通信では、通信速度に限界がある場合があり、データの送受信に時間を要してしまうことがある。そこで変形例では、カメラのユーザが帰宅した後、インターネット等を介して外部にあるファイルサーバに撮像データをアップロードし、依頼主は、撮像データを自宅のＨＤＤなどの記憶装置にダウンロードする。通信速度や処理能力が優れている機器およびネットワークを介してデータを送受信することによって、短時間でデータの伝送を行うことが可能となる。ここでは、実施例と同じ、あるいは同様のものについての説明は省略し、主に、実施例と異なる部分についてのみ説明する。
【００４５】
図６は、本発明の変形例に係る撮像システム７０の構成を示す。撮像システム７０は、無線ネットワーク８００、内部ネットワーク８０２と総称される第１内部ネットワーク８０２ａ、第２内部ネットワーク８０２ｂ、第３内部ネットワーク８０２ｃ、第４内部ネットワーク８０２ｄ、外部ネットワーク８０４、携帯端末２０と総称される第１携帯端末２０ａ、第２携帯端末２０ｂ、送信装置３０と総称される第１送信装置３０ａ、第２送信装置３０ｂ、受信装置４０と総称される第１受信装置４０ａ、第２受信装置４０ｂ、ファイルサーバ５０、カメラ６０と総称される第１カメラ６０ａ、第２カメラ６０ｂを含む。
【００４６】
（１）ステップ２００
携帯端末２０は、無線ネットワーク８００を介して接続しているカメラ６０に対し、撮像の依頼を示す撮像依頼通知をマルチキャストで送信する。
（２）ステップ２０２
カメラ６０は、携帯端末２０から撮像依頼通知を受信し、撮像可能かどうかを示す撮像可否通知を生成する。撮像が可能な場合、撮像可否通知には、撮像データをアップロードするファイルサーバの情報および、その撮像データをダウンロードするために必要となる閲覧キーが添付される。なお、閲覧キーは、撮像あるいは撮像データごとに生成する。また、複数の携帯端末２０から同時に撮像依頼通知を受信した際に、カメラ６０は、同じ閲覧キーを添付し、同じ撮像データにはひとつの閲覧キーを対応させる。
【００４７】
（３）ステップ２０４
カメラ６０は、生成した撮像可否通知を携帯端末２０に送信する。
（４）ステップ２０６
携帯端末２０は、カメラ６０から撮像依頼通知を受信し、付加されているファイルサーバ５０の情報および閲覧キーを受信待ち情報としてリストにし、記憶しておく。
（５）ステップ２０８
携帯端末２０は、内部ネットワーク８０２を介して受信装置４０と接続する。内部ネットワーク８０２は有線、無線を問わない。また、ＵＳＢケーブルのようなものでもよい。携帯端末２０は、受信装置４０から要求されると、受信待ち情報を受信装置４０に送信する。
（６）ステップ２１０
カメラ６０は、撮像可否通知を送信した後、撮像を行い、その結果を撮像データとして生成する。撮像後、撮像データに、アップロードするファイルサーバ５０に関する情報および閲覧キーをメタ情報として付加しておく。
【００４８】
（７）ステップ２１２
カメラ６０は、内部ネットワーク８０２を介して送信装置３０と接続する。送信装置３０からカメラ６０へ撮像データが要求されると、カメラ６０は、保持している撮像データを送信装置３０に送信する。
（８）ステップ２１４
送信装置３０は、カメラ６０から撮像データを受信すると、撮像データに付加されているファイルサーバの情報および閲覧キーをもとに、ファイルサーバ５０に撮像データをアップロードする。その際、閲覧キーがなければダウンロードできないように設定する。
（９）ステップ２１６
受信装置４０は、携帯端末２０から受信した受信待ち情報をもとに、受信すべき撮像データを保持しているファイルサーバ５０を特定し、閲覧キーを用いて必要な撮像データをダウンロードする。
【００４９】
図７は、携帯端末２０の構成を示す。携帯端末２０は、撮像依頼通知生成部２０１、機器情報記憶部２０２、撮像依頼通知送信部２０３、撮像可否通知受信部２０４、受信待情報記憶部２０５、受信待情報要求受信部２０６、受信待情報取得部２０７、受信待情報送信部２０８、無線ネットワーク通信Ｉ／Ｆ２０９、内部ネットワーク通信Ｉ／Ｆ２１０、ユーザＩ／Ｆ２１１を含む。
【００５０】
携帯端末２０は、図示しないカメラ６０に対して撮像依頼通知を送信し、それに応じてカメラ６０から送信された撮像可否通知をもとに、受信待ち情報を生成する。携帯端末２０は、生成した受信待ち情報を受信装置４０に送信する。撮像依頼通知生成部２０１は、ユーザＩ／Ｆ２１１が「撮像依頼」を示す操作を受けつけると、カメラ６０に対して撮像を依頼するための撮像依頼通知を生成する。撮像依頼通知を生成する際、撮像依頼通知生成部２０１は、機器情報記憶部２０２に保持されている機器情報を参照する。撮像依頼通知生成部２０１は、生成した撮像依頼通知を撮像依頼通知送信部２０３に送信する。なお、撮像依頼通知の詳細については後述する。
【００５１】
機器情報記憶部２０２は、携帯端末２０自身に関する情報である機器情報を保持する。機器情報は、撮像依頼通知生成部２０１が撮像依頼通知を生成する際に参照される。撮像依頼通知送信部２０３は、無線ネットワーク通信Ｉ／Ｆ２０９を介して、撮像依頼通知生成部２０１において生成した撮像依頼通知を無線マルチキャストで送信する。撮像可否通知受信部２０４は、撮像依頼通知を受信したカメラ６０から送信された撮像可否通知を受信する。撮像可否通知には、撮像が可能であるかを示す撮像可否情報、送信元のカメラ６０に関する情報が含まれている。また、撮像可否通知には、撮像可否情報が「撮像可能」である場合に、撮像した撮像データをダウンロードするための情報が含まれている。なお、撮像可否通知の詳細については後述する。撮像可否通知受信部２０４は、受信した撮像可否通知の内容をユーザに通知するようにユーザＩ／Ｆ２１１に依頼するとともに、撮像可否情報が「撮像可能」であれば、撮像可否通知をもとに、受信待情報記憶部２０５が保持している受信待ち情報を更新する。
【００５２】
受信待情報記憶部２０５は、受信待ち情報を保持する。受信待ち情報は、撮像依頼通知を送信した後、それに応じてカメラ６０が撮像した撮像データをダウンロードする際に用いる情報であり、撮像可否通知受信部２０４により更新され、受信待情報取得部２０７によって参照される。受信待ち情報の詳細については後述する。受信待情報要求受信部２０６は、内部ネットワーク通信Ｉ／Ｆ２１０を介して、図示しない受信装置４０から送信される受信待ち情報要求を受信する。受信待情報要求受信部２０６は、受信待ち情報要求を受信すると、受信待ち情報の取得を受信待情報取得部２０７に依頼する。受信待情報取得部２０７は、受信待情報要求受信部２０６からの依頼をもとに、受信待情報記憶部２０５が保持している受信待ち情報を取得する。受信待情報取得部２０７は、取得した受信待ち情報を受信待情報送信部２０８に送り、受信装置４０への送信を依頼するとともに、送信した受信待ち情報を受信待情報記憶部２０５から削除する。
【００５３】
受信待情報送信部２０８は、受信待情報取得部２０７からの依頼をもとに、内部ネットワーク通信Ｉ／Ｆ２１０を介して、受信待ち情報を図示しない受信装置４０に送信する。無線ネットワーク通信Ｉ／Ｆ２０９は、図示しないカメラ６０との間で情報の送受信を行う。具体的に説明すると、無線ネットワーク通信Ｉ／Ｆ２０９は、撮像依頼通知送信部２０３からの依頼をもとに撮像依頼通知を送信する。また、無線ネットワーク通信Ｉ／Ｆ２０９は、カメラ６０が送信した撮像可否通知を受信し、撮像可否通知受信部２０４に出力する。内部ネットワーク通信Ｉ／Ｆ２１０は、図示しない受信装置４０との間で情報を送受信する。具体的に説明すると、内部ネットワーク通信Ｉ／Ｆ２１０は、受信装置４０が送信する受信待ち情報要求を受信し、受信待情報要求受信部２０６に出力するとともに、受信待情報送信部２０８からの依頼をもとに受信待ち情報を受信装置４０に送信する。ユーザＩ／Ｆ２１１は、ユーザへの情報の通知および、ユーザからの指示の受付を行う。
【００５４】
図８は、カメラ６０の構成を示す。カメラ６０は、撮像依頼通知受信部６０１、撮像可否通知生成部６０２、キー生成部６０３、機器情報記憶部６０４、撮像可否通知送信部６０５、撮像部６０６、メタ情報生成部６０７、撮像データ処理部６０８、撮像データ記憶部６０９、撮像データ要求受信部６１０、撮像データ取得部６１１、撮像データ送信部６１２、無線ネットワーク通信Ｉ／Ｆ６１３、内部ネットワーク通信Ｉ／Ｆ６１４、ユーザＩ／Ｆ６１５を含む。
【００５５】
カメラ６０は、図示しない携帯端末２０からの依頼をもとに撮像を行い、その結果を撮像データとして図示しない送信装置３０に送信する。撮像依頼通知受信部６０１は、無線ネットワーク通信Ｉ／Ｆ６１３を介して、図示しない携帯端末２０から送信された撮像依頼通知を受信する。前述のごとく、撮像依頼通知では、撮像の依頼が示されている。撮像依頼通知受信部６０１は、撮像依頼通知を受信すると、受信した撮像依頼通知に関する情報をユーザに通知することをユーザＩ／Ｆ６１５に依頼する。
【００５６】
撮像可否通知生成部６０２は、ユーザＩ／Ｆ６１５によって、撮像可否に関する操作が検知されると、その内容にしたがって撮像可否通知を生成する。ユーザＩ／Ｆ６１５に入力された撮像可否情報が、「撮像可能」である場合、撮像可否通知生成部６０２は、ファイルサーバ５０にアップロードする撮像データをダウンロードする際に必要な閲覧キーの生成をキー生成部６０３に依頼する。
【００５７】
撮像可否通知は、キー生成部６０３において生成された閲覧キー、機器情報記憶部６０４が保持しているファイルサーバ情報を含む機器情報をもとに生成される。なお、撮像可否情報が「撮像不可」である場合には、撮像可否通知には閲覧キーやファイルサーバ情報が含まれない。撮像可否通知生成部６０２は、生成した撮像可否通知を撮像可否通知送信部６０５に送るとともに、撮像可否情報が「撮像可能」である場合に、メタ情報生成部６０７に通知する。なお、閲覧キーの詳細については後述する。
【００５８】
キー生成部６０３は、撮像可否通知生成部６０２からの依頼をもとに、閲覧キーを生成する。閲覧キーは、図示しないファイルサーバ５０にアップロードされた撮像データをダウンロード、つまり取得する際に必要なキーであり、撮像データごとに設定される。閲覧キーは、一定長のランダムな文字列によって構成される。キー生成部６０３は、生成した閲覧キーを撮像可否通知生成部６０２に送り、撮像可否通知生成部６０２は、閲覧キーを撮像可否通知に付加する。機器情報記憶部６０４は、カメラ６０自身の機器情報を記憶する。機器情報には、カメラ６０の機器ＩＤ、ニックネーム、撮像したデータをアップロードするファイルサーバ５０に関するファイルサーバ情報が含まれる。機器情報記憶部６０４が保持している機器情報は、撮像可否通知を生成する際に撮像可否通知生成部６０２によって参照される。
【００５９】
撮像可否通知送信部６０５は、無線ネットワーク通信Ｉ／Ｆ６１３を介して、撮像可否通知生成部６０２において生成された撮像可否通知を、撮像依頼通知の送信元である携帯端末２０に送信する。前述のごとく、撮像可否通知は、キー生成部６０３において生成した閲覧キー、および機器情報記憶部６０４において保持したファイルサーバ情報を含む。撮像部６０６は、ユーザＩ／Ｆ６１５に入力された撮像可否情報が「撮像可能」であれば、撮像を開始する。その際、データファイルＩＤをメタ情報生成部６０７に通知する。また、撮像部６０６は、撮像した撮像データを撮像データ処理部６０８に送る。
【００６０】
メタ情報生成部６０７は、撮像部６０６において撮像した撮像データに付加すべきメタ情報を生成する。メタ情報には、撮像可否通知生成部６０２から取得した撮像可否通知に含まれる情報および撮像部６０６から取得したデータファイルＩＤが含まれる。生成したメタデータは、撮像データ処理部６０８に送られ、データファイルＩＤに対応する撮像データに付加される。撮像データ処理部６０８は、撮像部６０６から取得した撮像データに、撮像データのデータファイルＩＤに対応するメタ情報を付加する。メタ情報を付加した撮像データは、撮像データ記憶部６０９に記憶される。
【００６１】
撮像データ記憶部６０９は、撮像データ処理部６０８によってメタ情報が付加された撮像データを記憶する。つまり、撮像データ記憶部６０９は、キー生成部６０３において生成した閲覧キー、機器情報記憶部６０４において保持したファイルサーバ情報、撮像部６０６において生成した撮像データとを互いに対応づけて記憶する。記憶している撮像データは、撮像データ取得部６１１によって取得・削除される。撮像データ要求受信部６１０は、内部ネットワーク通信Ｉ／Ｆ６１４を介して、図示しない送信装置３０から送信される撮像データ要求を受信する。撮像データ要求受信部６１０は、撮像データ要求を受信すると、撮像データ取得部６１１に撮像データの取得を依頼する。
【００６２】
撮像データ取得部６１１は、撮像データ要求受信部６１０からの依頼をもとに、撮像データ記憶部６０９に記憶されている撮像データを取得する。取得した撮像データは、撮像データ送信部６１２に送られた後、撮像データ記憶部６０９から削除される。撮像データ送信部６１２は、内部ネットワーク通信Ｉ／Ｆ６１４を介して、撮像データ取得部６１１から取得した撮像データを図示しない送信装置３０に送信する。また、撮像データ送信部６１２は、ファイルサーバ情報、閲覧キーも、ファイルサーバ情報に対応したファイルサーバ５０に接続可能な機器である送信装置３０に送信する。
【００６３】
無線ネットワーク通信Ｉ／Ｆ６１３は、図示しない携帯端末２０との間で情報を送受信する。具体的に説明すると、無線ネットワーク通信Ｉ／Ｆ６１３は、携帯端末２０から送信される撮像依頼通知を受信し撮像依頼通知受信部６０１に出力するとともに、撮像可否通知送信部６０５からの依頼をもとに撮像可否通知を携帯端末２０に送信する。内部ネットワーク通信Ｉ／Ｆ６１４は、図示しない送信装置３０との間で情報を送受信する。具体的に説明すると、内部ネットワーク通信Ｉ／Ｆ６１４は、送信装置３０から送信される撮像データ要求を受信し、撮像データ要求受信部６１０に出力するとともに、撮像データ送信部６１２からの依頼をもとに撮像データを送信装置３０に送信する。ユーザＩ／Ｆ６１５は、ユーザへの情報の通知およびユーザからの指示の受付を行う。
【００６４】
図９は、送信装置３０の構成を示す。送信装置３０は、撮像データ要求送信部３０１、撮像データ受信部３０２、撮像データ記憶部３０３、撮像データ取得部３０４、撮像データ送信部３０５、内部ネットワーク通信Ｉ／Ｆ３０６、外部ネットワーク通信Ｉ／Ｆ３０７、ユーザＩ／Ｆ３０８を含む。
【００６５】
送信装置３０は、内部ネットワーク８０２を介して、図示しないカメラ６０によって撮像された撮像データを取得し、外部ネットワーク８０４を介して、図示しないファイルサーバ５０に撮像データを転送する。撮像データ要求送信部３０１は、ユーザＩ／Ｆ３０８が撮像データ要求を示す指示を検知すると、内部ネットワーク通信Ｉ／Ｆ３０６を介して、図示しないカメラ６０に撮像データ要求を送信する。撮像データ受信部３０２は、撮像データ要求送信部３０１が送信した撮像データ要求に応じてカメラ６０から送信された撮像データを受信する。受信した撮像データは、撮像データ記憶部３０３に記憶される。
【００６６】
撮像データ記憶部３０３は、撮像データ受信部３０２によってカメラ６０から受信された撮像データを保持する。保持する撮像データは、撮像データ取得部３０４によって参照・削除される。撮像データ取得部３０４は、ユーザＩ／Ｆ３０８がアップロードを示す指示を検知すると、撮像データ記憶部３０３から撮像データを取得する。撮像データ取得部３０４は、取得した撮像データを撮像データ送信部３０５に送り、図示しないファイルサーバ５０に送信するように依頼する。また、送った撮像データのメタ情報に含まれる送信条件が「ムーブ」である場合、撮像データ取得部３０４は、対応する撮像データおよびメタ情報を撮像データ記憶部３０３から削除する。
【００６７】
撮像データ送信部３０５は、撮像データ取得部３０４からの依頼をもとに、外部ネットワーク通信Ｉ／Ｆ３０７を介してファイルサーバ５０へ撮像データをアップロードする。内部ネットワーク通信Ｉ／Ｆ３０６は、図示しないカメラ６０との間で情報を送受信する。具体的に説明すると、内部ネットワーク通信Ｉ／Ｆ３０６は、撮像データ要求送信部３０１からの依頼をもとに撮像データ要求をカメラ６０に送信するとともに、カメラ６０によって送信された撮像データを受信し、撮像データ受信部３０２に出力する。外部ネットワーク通信Ｉ／Ｆ３０７は、撮像データ送信部３０５の依頼をもとに、撮像データをファイルサーバ５０へアップロードする。その際、メタ情報に含まれる閲覧キーを、撮像データに付加する。ユーザＩ／Ｆ３０８は、ユーザへの情報の通知およびユーザからの指示の受付を行う。
【００６８】
図１０は、ファイルサーバ５０の構成を示す。ファイルサーバ５０は、撮像データ受信部５０１、撮像データ記憶部５０２、撮像データ要求受信部５０３、撮像データ取得部５０４、撮像データ送信部５０５、外部ネットワーク通信Ｉ／Ｆ５０６を含む。
【００６９】
ファイルサーバ５０は、図示しない送信装置３０からアップロードされる撮像データを保持する。保持している撮像データは、図示しない受信装置４０によってダウンロードされるが、その際、ファイルサーバ５０は、撮像データごとに設定された閲覧キーにより受信装置４０を認証し、正当な閲覧キーを通知した受信装置４０のみにダウンロードを許可する。撮像データ受信部５０１は、外部ネットワーク通信Ｉ／Ｆ５０６を介して、送信装置３０から送信される撮像データを受信する。受信した撮像データは、撮像データ記憶部５０２に記憶される。撮像データ記憶部５０２は、撮像データ受信部５０１において受信した撮像データを保持する。保持された撮像データは、撮像データ取得部５０４によって参照される。
【００７０】
撮像データ要求受信部５０３は、外部ネットワーク通信Ｉ／Ｆ５０６を介して、受信装置４０から送信された撮像データ要求を受信する。撮像データ要求受信部５０３は、受信した撮像データ要求を撮像データ取得部５０４に送り、撮像データ取得部５０４に、対応する撮像データの取得を依頼する。撮像データ取得部５０４は、撮像データ要求受信部５０３からの依頼をもとに、撮像データ要求に対応した撮像データを取得し、撮像データを撮像データ送信部５０５に送る。その際、撮像データ取得部５０４は、撮像データ要求に含まれる閲覧キーと、撮像データに付加されている閲覧キーが一致しなければ、撮像データを撮像データ送信部５０５に送らない。
【００７１】
撮像データ送信部５０５は、外部ネットワーク通信Ｉ／Ｆ５０６を介して、撮像データ取得部５０４から送られた撮像データを送信する。外部ネットワーク通信Ｉ／Ｆ５０６は、送信装置３０および受信装置４０との間で情報を送受信する。具体的に説明すると、外部ネットワーク通信Ｉ／Ｆ５０６は、送信装置３０から送信された撮像データを受信すると、受信した撮像データを撮像データ受信部５０１に送る。また、外部ネットワーク通信Ｉ／Ｆ５０６は、受信装置４０から送信された撮像データ要求を受信すると、撮像データ要求受信部５０３に送信するとともに、撮像データ送信部５０５からの依頼をもとに撮像データを受信装置４０に送信する。
【００７２】
図１１は、受信装置４０の構成を示す。受信装置４０は、受信待情報要求送信部４０１、受信待情報受信部４０２、受信待情報記憶部４０３、撮像データ要求送信部４０４、撮像データ受信部４０５、撮像データ記憶部４０６、内部ネットワーク通信Ｉ／Ｆ４０７、外部ネットワーク通信Ｉ／Ｆ４０８、ユーザＩ／Ｆ４０９を含む。
【００７３】
受信装置４０は、図示しない携帯端末２０から、受信すべき撮像データに関する情報である受信待ち情報を取得し、それをもとに図示しないファイルサーバ５０から撮像データをダウンロードする。受信待情報要求送信部４０１は、ユーザＩ／Ｆ４０９によって受信待ち情報の受信の指示が受けつけられると、内部ネットワーク通信Ｉ／Ｆ４０７を介して、受信待ち情報要求を図示しない携帯端末２０に送信する。受信待情報受信部４０２は、内部ネットワーク通信Ｉ／Ｆ４０７を介して、携帯端末２０から送信された受信待ち情報を受信する。受信した受信待ち情報は、受信待情報記憶部４０３に記憶される。受信待情報記憶部４０３は、受信待情報受信部４０２において受信された受信待ち情報を保持する。保持している受信待ち情報は、撮像データ要求送信部４０４によって参照される。
【００７４】
撮像データ要求送信部４０４は、ユーザＩ／Ｆ４０９において撮像データのダウンロードを示す指示が受けつけられると、外部ネットワーク通信Ｉ／Ｆ４０８を介して撮像データ要求を送信する。撮像データ要求は、受信待情報記憶部４０３から取得した受信待ち情報に含まれる撮像データに関する情報、および閲覧キーを含んでいる。撮像データ受信部４０５は、外部ネットワーク通信Ｉ／Ｆ４０８を介して、撮像データ要求に応じてファイルサーバ５０から送信される撮像データを受信する。受信した撮像データは、撮像データ記憶部４０６に記憶される。撮像データ記憶部４０６は、撮像データ受信部４０５が受信した撮像データを保持する。
【００７５】
内部ネットワーク通信Ｉ／Ｆ４０７は、図示しない携帯端末２０との間で情報を送受信する。具体的に説明すると、内部ネットワーク通信Ｉ／Ｆ４０７は、受信待情報要求送信部４０１の依頼をもとに受信待ち情報要求を送信するとともに、携帯端末２０から送信された受信待ち情報を受信し、受信待情報受信部４０２に出力する。外部ネットワーク通信Ｉ／Ｆ４０８は、図示しないファイルサーバ５０との間で情報を送受信する。具体的に説明すると、外部ネットワーク通信Ｉ／Ｆ４０８は、撮像データ要求送信部４０４からの依頼をもとに、撮像データ要求をファイルサーバ５０に送信するとともに、ファイルサーバ５０から送信された撮像データを受信し、撮像データ受信部４０５に出力する。ユーザＩ／Ｆ４０９は、ユーザへの情報の通知およびユーザからの指示の受付を行う。
【００７６】
図１２（ａ）−（ｄ）は、撮像システム７０において処理される情報のデータ構造を示す。図１２（ａ）は、撮像依頼通知の例を示す。撮像依頼通知は、携帯端末２０の撮像依頼通知生成部２０１において生成される。撮像依頼通知には図示のごとく、生成した携帯端末２０の機器ＩＤ、ニックネームが含まれる。図１２（ａ）に示された撮像依頼通知は、図２（ａ）に示された撮像依頼通知に含まれていたアドレスを含まない。また、同様に図２（ａ）に示された撮像依頼通知に含まれていた撮像条件、撮像対象情報は含まれていてもよいが、ここでは省略する。
【００７７】
撮像依頼通知生成部２０１は、撮像依頼通知を生成する際、機器情報記憶部２０２に保持されている機器情報をもとに生成する。撮像依頼通知は、無線ネットワークを介してマルチキャストで送信される。マルチキャストで送信することにより、複数のカメラ６０に対して撮像を依頼することが可能となる。カメラ６０の撮像依頼通知受信部６０１が撮像依頼通知を受信すると、ユーザＩ／Ｆ６１５は、その内容をユーザに通知し、応答の入力をユーザに促す。当該応答は、撮像可否情報に相当する。
【００７８】
図１２（ｂ）は、撮像可否通知を示す。撮像可否通知は、カメラ６０の撮像可否通知生成部６０２によって生成される。撮像可否通知には、図示のごとく、生成したカメラ６０の機器ＩＤ、ニックネーム、撮像可否情報、データファイルＩＤ、撮像した撮像データをアップロードすべきファイルサーバ５０に関するファイルサーバ情報、ファイルサーバ５０から撮像データをダウンロードする際に必要となる閲覧キーが含まれている。図１２（ｂ）に示された撮像可否通知には、図２（ｂ）に示された撮像可否通知に含まれていた情報に加えて、データファイルＩＤ、ファイルサーバ情報、閲覧キーが含まれる。
【００７９】
なお、撮像可否情報は、図２（ｂ）において用いた撮像可否情報と同様のものである。また、閲覧キーとは、ファイルサーバ５０にアップロードされた撮像データをダウンロードする際に必要なパスワードであり、受信装置４０は、この閲覧キーをファイルサーバ５０へ通知することによって、撮像データをファイルサーバ５０からダウンロードを実行できる。生成された撮像可否通知は、メタ情報生成部６０７に送られ、撮像データに付加されるメタ情報を生成する際に用いられる。カメラ６０において生成された撮像可否通知は携帯端末２０に送信される。携帯端末２０の撮像可否通知受信部２０４において受信された撮像可否通知は、受信待ち情報の生成、更新に用いられる。
【００８０】
図１２（ｃ）は、受信待ち情報の例を示す。受信待ち情報は携帯端末２０の撮像可否通知受信部２０４により生成、更新される。図示のごとく、受信待ち情報は、受信すべき撮像データを撮像したカメラ６０の機器ＩＤおよびニックネーム、受信すべき撮像データのデータファイルＩＤ、撮像データが保持されているファイルサーバ５０に関するファイルサーバ情報、撮像データをダウンロードするための閲覧キーが含まれている。撮像可否通知受信部２０４は、受信した撮像可否通知に含まれる情報をもとに受信待ち情報を生成し、受信待情報記憶部２０５に格納する。
【００８１】
受信待ち情報は、受信装置４０からの受信待ち情報要求をもとに、携帯端末２０から受信装置４０に送られ、受信待情報記憶部４０３に格納される。その後、受信装置４０がファイルサーバ５０に撮像データのダウンロードを要求する際に、参照される。具体的には、受信待ち情報に含まれるファイルサーバ情報が示したファイルサーバ５０に対して、受信装置４０が、受信待ち情報に含まれるデータファイルＩＤのダウンロードを要求する。その際、受信待ち情報に含まれる閲覧キーを通知することによって、受信装置４０は、撮像データのダウンロードが許可されていることを主張する。
【００８２】
図１２（ｄ）は、メタ情報の例を示す。メタ情報は、カメラ６０のメタ情報生成部６０７において生成され、撮像データ処理部６０８において撮像データに付加される。図示のごとく、メタ情報には、データファイルＩＤ、撮像データをアップロードするファイルサーバ５０に関するファイルサーバ情報、撮像データをダウンロードする際に必要となる閲覧キー、送信条件を含む。メタ情報生成部６０７は、撮像可否通知生成部６０２から取得した撮像可否通知をもとにメタ情報を生成し、撮像データ処理部６０８は、撮像部６０６から取得した撮像データに、対応するメタ情報を付加して、撮像データ記憶部６０９に格納する。
【００８３】
メタ情報は、カメラ６０から送信装置３０に、撮像データに付加された状態で送信され、撮像データ記憶部３０３に格納される。撮像データに付加されたメタ情報は、撮像データ取得部３０４がファイルサーバ５０に送信する撮像データを取得する際に参照される。また、メタ情報は、撮像データ送信部３０５が撮像データをファイルサーバ５０に送信する際に参照される。具体的には、ファイルサーバ情報が示すファイルサーバ５０に、撮像データとそれに対応する閲覧キーが送信される。
【００８４】
以上の構成による撮像システム７０の動作概要を説明する。図１３は、携帯端末２０の処理手順を示すフローチャートである。ユーザＩ／Ｆ２１１が、撮像依頼の指示を受けつけると（Ｓ４００１のＹ）、撮像依頼通知生成部２０１は、撮像依頼通知を生成し（Ｓ４００２）、撮像依頼通知送信部２０３は、生成した撮像依頼通知をマルチキャストでカメラ６０に送信する（Ｓ４００３）。その後、撮像可否通知受信部２０４は、撮像依頼通知を受信したカメラ６０からの応答である撮像可否通知を受信したかを判断する（Ｓ４００４）。撮像可否通知受信部２０４が撮像可否通知を受信すると（Ｓ４００４のＹ）、受信待情報記憶部２０５は、受信した撮像可否通知をもとに受信待ち情報を生成、更新する（Ｓ４００５）。
【００８５】
一方、撮像可否通知受信部２０４が撮像可否通知を受信しなければ（Ｓ４００４のＮ）、ステップ４００５はスキップされる。また、ユーザＩ／Ｆ２１１が、撮像依頼の指示を受けつけなければ（Ｓ４００１のＮ）、ステップ４００２からステップ４００５は、スキップされる。その後、受信待情報要求受信部２０６は、撮像終了通知を受信したかを判断し、受信していれば、受信待情報取得部２０７は、対応する受信待ち情報を更新する。処理を終了しない場合（Ｓ５００６のＮ）、ステップ４００１に戻る。一方、処理を終了する場合（Ｓ４００６のＹ）、処理は終了される。
【００８６】
図１４は、カメラ６０の処理手順を示すフローチャートである。撮像依頼通知受信部６０１は、撮像依頼通知を受信しなければ（Ｓ５００１のＮ）、待機する。撮像依頼通知受信部６０１は、撮像依頼通知を受信すると（Ｓ５００１のＹ）、撮像部６０６が撮像中であるかを判断する（Ｓ５００２）。撮像中である場合に（Ｓ５００２のＹ）、キー生成部６０３は閲覧キーを生成する（Ｓ５００３）。撮像可否通知生成部６０２は、撮像可否情報を「撮像可能(コピー)」に設定し（Ｓ５００４）、撮像可否通知を生成して、撮像依頼通知の送信元である携帯端末２０に送信した後（Ｓ５００５）、処理をステップ５０１８に移行させる。
【００８７】
一方、撮像依頼通知を受信したときに撮像部６０６が撮像中でない場合（Ｓ５００２のＮ）、ユーザＩ／Ｆ６１５を介して、撮像可否情報が入力されなければ（Ｓ５００６のＮ）、待機する。ユーザＩ／Ｆ６１５を介して、撮像可否情報が入力されると（Ｓ５００６のＹ）、撮像可否通知生成部６０２は、入力された撮像可否情報が「撮像不可」であるかを判断する（Ｓ５００７）。撮像可否情報が「撮像不可」である場合（Ｓ５００７のＹ）、処理はステップ５０２２に移行する。一方、撮像可否情報が「撮像不可」でない場合（Ｓ５００７のＮ）、キー生成部６０３は閲覧キーを生成し（Ｓ５００８）、撮像可否通知生成部６０２は、撮像可否通知を生成して、撮像依頼通知の送信元である携帯端末２０に送信する（Ｓ５００９）。
【００８８】
その後、撮像可否情報が「撮像可能(コピー)」であるかを判断する（Ｓ５０１０）。撮像可否情報が「撮像可能(コピー)」であった場合（Ｓ５０１０のＹ）、撮像可否通知生成部６０２は、送信条件を「コピー」に設定し（Ｓ５０１１）。撮像可否情報が「撮像可能(コピー)」でなかった場合（Ｓ５０１０のＮ）、つまり「撮像可能(ムーブ)」であった場合には、撮像可否通知生成部６０２は、送信条件を「ムーブ」に設定する（Ｓ５０１２）。その後、撮像部６０６は撮像を開始し（Ｓ５０１３）、さらに、撮像依頼通知を受信したか判断する（Ｓ５０１４）。撮像依頼通知を受信すると（Ｓ５０１４のＹ）、撮像可否通知生成部６０２は、撮像可否情報および送信条件、閲覧キーを取得し（Ｓ５０１５）、撮像可否通知を生成して、撮像依頼通知の送信元である携帯端末２０に送信する（Ｓ５０１７）。
【００８９】
撮像依頼通知を受信しなければ（Ｓ５０１４のＮ）、ステップ５０１５、ステップ５０１７は、スキップされる。その後、撮像が終了するまで新たな撮像依頼通知の受信を検知している。撮像が終了すると（Ｓ５０１８のＹ）、メタ情報生成部６０７は、メタ情報を生成し（Ｓ５０２０）、生成したメタ情報を撮像データに付加した後、撮像データ記憶部６０９に格納する（Ｓ５０２１）。撮像が終了しなければ（Ｓ５０１８のＮ）、ステップ５０１４に戻る。その後、撮像データ要求受信部６１０は、送信装置３０から撮像データ要求を受信したかを判断し（Ｓ５０２２）、受信しなければ（Ｓ５０２２のＮ）、待機する。一方、受信すれば（Ｓ５０２２のＹ）、撮像データ取得部６１１は、撮像データ記憶部６０９が保持している撮像データを取得し（Ｓ５０２３）、撮像データ送信部６１２は、撮像データを送信装置３０に送信する（Ｓ５０２４）。
【００９０】
図１５は、送信装置３０の処理手順を示すフローチャートである。ユーザＩ／Ｆ３０８が「データ転送」を示す指示を受けつけなければ（Ｓ６００１のＮ）、待機する。ユーザＩ／Ｆ３０８が「データ転送」を示す指示を受けつけると（Ｓ６００１のＹ）、撮像データ要求送信部３０１は、カメラ６０に対して撮像データ要求を送信する（Ｓ６００２）。撮像データ受信部３０２が、カメラ６０から撮像データを受信しなければ（Ｓ６００３のＮ）、待機する。一方、撮像データ受信部３０２が、カメラ６０から撮像データを受信すれば（Ｓ６００３のＹ）、撮像データ記憶部３０３は、受信した撮像データを格納する（Ｓ６００４）。
【００９１】
その後、ユーザＩ／Ｆ３０８において「アップロード」を示す指示が入力されなければ（Ｓ６００５のＮ）、待機する。ユーザＩ／Ｆ３０８において「アップロード」を示す指示が入力されると（Ｓ６００５のＹ）、撮像データ取得部３０４は、撮像データ記憶部３０３に格納されている撮像データのうち、メタ情報をもとにファイルサーバにアップロードするべきものを取得し（Ｓ６００６）、撮像データに付加されているメタ情報に含まれる閲覧キー情報を取得する（Ｓ６００７）。撮像データ送信部３０５は、メタ情報に含まれているファイルサーバ情報に対応するファイルサーバ５０に対して、閲覧キーとともに撮像データを送付する（Ｓ６００８）。アップロードすべき撮像データが他にあるかを判断し（Ｓ６００９）、撮像データが複数ある場合には（Ｓ６００９のＮ）、ステップ６００６に戻る。アップロードすべき撮像データが他にない場合（Ｓ６００９のＹ）、処理は終了される。
【００９２】
図１６は、ファイルサーバ５０の処理手順を示すフローチャートである。撮像データ受信部５０１は、送信装置３０から撮像データを受信すると（Ｓ７００１のＹ）、受信した撮像データを撮像データ記憶部５０２に格納する（Ｓ７００２）。一方、撮像データ受信部５０１が、送信装置３０から撮像データを受信しなければ（Ｓ７００１のＮ）、ステップ７００２は、スキップされる。その後、撮像データ要求受信部５０３が、受信装置４０からの撮像データ要求を受信すると（Ｓ７００３のＹ）、撮像データ取得部５０４は、対応する撮像データを撮像データ記憶部５０２から抽出した後（Ｓ７００４）、ステップ７００５に移行する。一方、撮像データ要求受信部５０３が、受信装置４０からの撮像データ要求を受信しなければ（Ｓ７００３のＮ）、ステップ７００１に戻る。
【００９３】
また、撮像データ取得部５０４は、撮像データに付加されたメタ情報に含まれている閲覧キーを確認し（Ｓ７００５）、受信装置４０から受信した撮像データ要求に含まれる閲覧キーと一致するかを判断する（Ｓ７００６）。一致する場合（Ｓ７００６のＹ）、撮像データ送信部５０５は、抽出した撮像データを撮像データ要求の送信元である受信装置４０に送信する（Ｓ７００７）。一致しない場合(Ｓ７００６のＮ）、ステップ７００７をスキップする。その後、処理を終了するかを判断し（Ｓ７００８）、終了しない場合（Ｓ７００８のＮ）、ステップ７００１に戻る。終了する場合（Ｓ７００８のＹ）、処理は終了される。
【００９４】
図１７は、受信装置４０の処理手順を示すフローチャートである。ユーザＩ／Ｆ４０９は、「ダウンロード」を示す指示を受けつけなければ（Ｓ８００１のＮ）、待機する。ユーザＩ／Ｆ４０９は、「ダウンロード」を示す指示を受けつけると（Ｓ８００１のＹ）、撮像データ要求送信部４０４は、受信待情報記憶部４０３に保持されている受信待ち情報を取得し、対応するファイルサーバ５０に閲覧キーを含む撮像データ要求とともに送信する（Ｓ８００２）。その後、撮像データ受信部４０５は、撮像データ要求に応じてファイルサーバ５０によって送信される撮像データを受信したかを判断する（Ｓ８００３）。撮像データを受信すると（Ｓ８００３のＹ）、撮像データ記憶部４０６は、撮像データを格納する（Ｓ８００４）。一方、撮像データを受信していない場合（Ｓ８００３のＮ）、ステップ８００４をスキップする。処理を終了しない場合には（Ｓ８００５のＮ）、ステップ８００１に戻る。処理を終了する場合には（Ｓ８００５のＹ）、処理は終了する。
【００９５】
本発明の実施例によれば、撮像の依頼を受けて撮像する場合に、撮像の依頼と撮像データとを対応づけて記憶するので、ネットワークを介して撮像データを送信する際に、送信すべき撮像データを明確にできる。また、送信すべき撮像データが明確であるので、ユーザの処理を簡易にできる。また、撮像可否情報を予め依頼側に返信するので、依頼側の利便性を向上できる。また、撮像中であるときに、撮像依頼通知を受けつければ、依頼に対応づけて撮像データを記憶するので、直ちに撮像データを生成できる。また、撮像データを送信すれば、当該撮像データを削除するので、必要とされる記憶容量を削減できる。また、ユーザの設定に応じて、撮像データを送信しても当該撮像データを削除しないので、ユーザの意思を反映できる。
【００９６】
また、ファイルサーバを介して撮像データを受け渡すので、カメラ同士で直接受け渡す場合よりも、高速な受け渡しを実現できる。また、閲覧キーを使用するので、ファイルサーバを介する場合であっても、セキュリティを確保できる。また、撮像依頼時に送信先を送付し、それを撮像したコンテンツにメタ情報として付加することによって、コンテンツを後日に送信する際に、送信を指示するだけで「数ある撮像コンテンツを確認しながら送信するべきコンテンツを選択し、送信先を指定する」という作業を行う必要を省略でき、ユーザの利便性を向上できる。
【００９７】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００９８】
本発明の実施例において、依頼側の第１カメラ１０ａと、撮像側の第２カメラ１０ｂとは、同一の機能・構成を有し、ひとつのカメラ１０が依頼側、撮像側どちらにもなりえた。しかしながらこれに限らず例えば、依頼側と撮像側が固定されてもよい。その際、依頼側である場合には撮像部１１０が、撮像側である場合には撮像依頼部１００を搭載しなくてもよい。つまり、依頼側は撮像機能を持つ必要がなく、携帯型のメモリや、メモリを備えた携帯電話等でもよい。本変形例によれば、依頼側または撮像側の装置の構成を簡易にできる。
【００９９】
本発明の実施例において、撮像可否通知送信部１１３が撮像可否情報を送信すれば、撮像データ送信部１１８は、撮像データを送信する。しかしながらこれに限らず例えば、操作検知部１４０は、メタ情報生成部１１５において取得した送信先情報をあて先とした送信を許可するかが示された送信許可情報を取得し、撮像データ記憶部１５０は、送信許可情報も撮像データに対応づけて記憶する。また、撮像データ送信部１１８は、撮像データに対応づけた送信許可情報が送信許可である場合に、撮像データを送信してもよい。なお、操作検知部１４０は、インターフェイスを介してユーザから送信許可情報を受けつける。その際、送信許可の結果は、携帯端末２０に送信されてもいい。あるいは、撮像前に送信する撮像可否通知の代わりとして、撮像後に送信可否通知を送信してもよい。この送信可否通知には、送信可否情報と、ファイルサーバ情報、閲覧キーが含まれる。本変形例によれば、ユーザは、撮像終了後に、撮像データの送信を許可するかを判断できる。
【０１００】
本発明の実施例において、カメラ６０が閲覧キーを生成している。しかしながらこれに限らず例えば、携帯端末２０が閲覧キーを生成し、撮像依頼通知に付加してもよい。また、ファイルサーバ情報も携帯端末２０から通知してもよい。本変形例によれば、カメラ６０の構成を簡易にできる。
【０１０１】
本発明の実施例において、同時に複数の携帯端末２０から撮像を依頼され、同一の撮像データを複数の受信装置４０がダウンロードする際、ひとつつの閲覧キーが複数の携帯端末２０や受信装置４０において使用される。しかしながらこれに限らず例えば、複数の携帯端末２０や受信装置４０のそれぞれに対し、別々の閲覧キーが設定されてもよい。本変形例によれば、セキュリティを向上できる。
【０１０２】
また、本発明の実施例や変形例の任意の組合せも有効である。このような組合せによって、本発明の実施例や変形例を組み合わせたときの効果が得られる。
【図面の簡単な説明】
【０１０３】
【図１】本発明の実施例に係るカメラの構成を示す図である。
【図２】図２（ａ）−（ｄ）は、図１のカメラにおいて処理される情報のデータ構造を示す図である。
【図３】図１のカメラによる撮像の依頼手順を示すフローチャートである。
【図４】図１のカメラによる撮像手順を示すフローチャートである。
【図５】図１のカメラによる送信手順を示すフローチャートである。
【図６】本発明の変形例に係る撮像システムの構成を示す図である。
【図７】図６の携帯端末の構成を示す図である。
【図８】図６のカメラの構成を示す図である。
【図９】図６の送信装置の構成を示す図である。
【図１０】図６のファイルサーバの構成を示す図である。
【図１１】図６の受信装置の構成を示す図である。
【図１２】図１２（ａ）−（ｄ）は、図６の撮像システムにおいて処理される情報のデータ構造を示す図である。
【図１３】図７の携帯端末の処理手順を示すフローチャートである。
【図１４】図８のカメラの処理手順を示すフローチャートである。
【図１５】図９の送信装置の処理手順を示すフローチャートである。
【図１６】図１０のファイルサーバの処理手順を示すフローチャートである。
【図１７】図１１の受信装置の処理手順を示すフローチャートである。
【符号の説明】
【０１０４】
１０  カメラ、  ２０  携帯端末、  ３０  送信装置、  ４０  受信装置、  ５０  ファイルサーバ、  ６０  カメラ。
【図１】
2008301247.tif 000003
【図２】
2008301247.tif 000004
【図３】
2008301247.tif 000005
【図４】
2008301247.tif 000006
【図５】
2008301247.tif 000007
【図６】
2008301247.tif 000008
【図７】
2008301247.tif 000009
【図８】
2008301247.tif 000010
【図９】
2008301247.tif 000011
【図１０】
2008301247.tif 000012
【図１１】
2008301247.tif 000013
【図１２】
2008301247.tif 000014
【図１３】
2008301247.tif 000015
【図１４】
2008301247.tif 000016
【図１５】
2008301247.tif 000017
【図１６】
2008301247.tif 000018
【図１７】
2008301247.tif 000019